(57)【特許請求の範囲】
【請求項１】
オブジェクトを配した画面を表示する表示部と、
前記表示部に対して設けられ、ユーザーがタッチしている複数のタッチ位置を検知するためのタッチパネル部と、を備え、
前記表示部は、前記タッチパネル部の複数点を同時にタッチする多点タッチ操作の後、表示中の前記オブジェクトのうち移動対象のオブジェクトを移動させるための操作として、予め定められた時間内にタッチを解除してから再び複数点を同時にタッチする操作が前記タッチパネル部に対して行われたとき、前記多点タッチ操作時にタッチされた複数点のうちの２点間の距離が予め定められた閾値距離以上であれば、前記多点タッチ操作時のタッチ位置に全ての前記移動対象のオブジェクトを一括して移動させることを特徴とする表示入力装置。
【請求項２】
前記表示部は、前記多点タッチ操作の後、複数点をタッチしたままタッチ位置をスライドさせるスライド操作が前記移動対象のオブジェクトを移動させる操作として前記タッチパネル部に対して行われたとき、前記多点タッチ操作時にタッチされた複数点のうちの２点間の距離が前記閾値距離以上であれば、全ての前記移動対象のオブジェクトを前記スライド操作時のスライド方向に一括して移動させることを特徴とする請求項１に記載の表示入力装置。
【請求項３】
前記表示部は、前記多点タッチ操作時のタッチ位置に対して前記スライド操作時のスライド方向側に表示していた前記オブジェクトを移動対象とする一方、前記多点タッチ操作時のタッチ位置に対して前記スライド操作時のスライド方向側とは反対側に表示していた前記オブジェクトは移動対象としないことを特徴とする請求項２に記載の表示入力装置。
【請求項４】
前記表示部は、前記移動対象のオブジェクトを前記スライド操作時のスライド方向に移動させて以降、前記多点タッチ操作の後に従前の前記スライド操作時のスライド方向とは逆方向をスライド方向とする前記スライド操作が前記タッチパネル部に対して行われたとき、前記多点タッチ操作時にタッチされた複数点のうちの２点間の距離が前記閾値距離以上であれば、従前の前記スライド操作時のスライド方向に移動させた全ての前記移動対象のオブジェクトを従前の表示位置に一括して戻すことを特徴とする請求項２または３に記載の表示入力装置。
【請求項５】
前記表示部は、前記多点タッチ操作時のタッチ位置に全ての前記移動対象のオブジェクトを一括して移動させるとき、全ての前記移動対象のオブジェクトの移動方向側の各端を揃えることを特徴とする請求項１〜４のいずれかに記載の表示入力装置。
【請求項６】
前記表示部は、前記移動対象のオブジェクトを移動させたとき、前記移動対象のオブジェクトの表示サイズを縮小し、縮小した前記移動対象のオブジェクトを識別するための識別情報を縮小した前記移動対象のオブジェクトの表示範囲に表示することを特徴とする請求項１〜５のいずれかに記載の表示入力装置。
【請求項７】
前記表示部は、縮小した前記移動対象のオブジェクトを表示画面の端縁と接するように表示することを特徴とする請求項６に記載の表示入力装置。
【請求項８】
請求項１〜７のいずれかに記載の表示入力装置を備えた画像形成装置。
【発明の詳細な説明】
【技術分野】
【０００１】
本発明は、表示入力装置および画像形成装置に関する。
【背景技術】
【０００２】
画像形成装置は、ジョブの実行に際して設定値の変更が可能な設定項目を複数有する。このため、画像形成装置には、複数の設定項目のうち設定値を変更する設定項目の選択指示、および、選択された設定項目の設定値の入力指示などを受け付けるための表示入力装置が備えられるのが一般的である。
【０００３】
画像形成装置の表示入力装置には、ハードキーの他に、ソフトキーやメッセージなどを表示するタッチパネル付きの表示部が設けられる場合がある。このような表示入力装置では、各種設定を受け付けるためのソフトキーを表示部に表示し、タッチパネルの出力に基づき、タッチパネルを介してタッチされたソフトキーを検知する。
【０００４】
また、表示入力装置によっては、ユーザーが作成したオブジェクト（電子付箋など）を各種表示画面に貼り付けることが可能なものもある。しかし、複数のオブジェクトを貼り付けると、背景画面に表示されたソフトキーやメッセージなどが見難くなる。このため、通常では、オブジェクトを移動させるためのオブジェクト移動操作をタッチパネル付きの表示部が受け付ける。
【０００５】
たとえば、オブジェクトを移動させる場合には、移動対象のオブジェクトの表示位置をタッチし、タッチしたままタッチ位置を所望の位置に移動させた後、タッチを解除することにより、移動対象のオブジェクトを所望の位置に移動させることができる。すなわち、ドラッグアンドドロップ操作によってオブジェクトを移動させることができる。このようなドラッグアンドドロップ操作によってオブジェクトを移動させる方法は、たとえば、特許文献１に開示されている。
【先行技術文献】
【特許文献】
【０００６】
【特許文献１】特開２００４−７０４９２号公報
【発明の概要】
【発明が解決しようとする課題】
【０００７】
しかしながら、特許文献１のオブジェクトの移動方法では、複数のオブジェクトを移動させる場合、複数のオブジェクトのそれぞれについて１回ずつドラッグアンドドロップ操作を行わなければならない。したがって、複数のオブジェクトを移動させたいユーザーからすると、数多くの操作を行わなければならないので、煩わしく、利便性が悪い。
【０００８】
本発明は、上記の課題を解決するためになされたものであり、オブジェクト移動操作において、ユーザーが行う操作を減らすことでユーザーの利便性を向上させることが可能な表示入力装置および画像形成装置を提供することを目的とする。
【課題を解決するための手段】
【０００９】
上記の目的を達成するために、本発明の表示入力装置は、オブジェクトを配した画面を表示する表示部と、表示部に対して設けられ、ユーザーがタッチしている複数のタッチ位置を検知するためのタッチパネル部と、を備える。そして、表示部は、タッチパネル部の複数点を同時にタッチする多点タッチ操作の後、表示中のオブジェクトのうち移動対象のオブジェクトを移動させるための操作がタッチパネル部に対して行われたとき、多点タッチ操作時にタッチされた複数点のうちの２点間の距離が予め定められた閾値距離以上であれば、全ての移動対象のオブジェクトを一括して移動させる。
【００１０】
本発明の構成では、上記のように、表示部は、タッチパネル部の複数点を同時にタッチする多点タッチ操作の後、表示中のオブジェクトのうち移動対象のオブジェクトを移動させるための操作がタッチパネル部に対して行われたとき、多点タッチ操作時にタッチされた複数点のうちの２点間の距離が予め定められた閾値距離以上であれば、全ての移動対象のオブジェクトを一括して移動させる。これにより、移動対象のオブジェクトが複数存在する場合、タッチした複数点のうちの２点間の距離が閾値距離以上となるようにタッチパネル部の複数点を同時にタッチする多点タッチ操作を行った後、移動対象のオブジェクトを移動させるための操作をタッチパネル部に対して行うだけで、複数の移動対象のオブジェクトの全てが一括して移動される。すなわち、複数の移動対象のオブジェクトの全てを少ない操作で一括して移動させることができるので、複数の移動対象のオブジェクトを１つずつ移動させる必要がなくなる。これにより、オブジェクト移動操作において、ユーザーが行う操作を減らすことができ、それによってユーザーの利便性が向上する。
【００１１】
さらに、この構成では、たとえば、指の腹（タッチパネル部に対する通常のタッチ操作でパネル面に触れる部分）の幅よりも大きい距離を閾値距離として設定しておくことによって、容易に、移動対象のオブジェクトを移動させるための一操作である多点タッチ操作と、指一本でのタッチ操作との差別化を図ることができる。
【００１２】
上記の構成において、好ましくは、表示部は、多点タッチ操作の後、複数点をタッチしたままタッチ位置をスライドさせるスライド操作が移動対象のオブジェクトを移動させる操作としてタッチパネル部に対して行われたとき、多点タッチ操作時にタッチされた複数点のうちの２点間の距離が閾値距離以上であれば、全ての移動対象のオブジェクトをスライド操作時のスライド方向に一括して移動させる。これにより、スライド操作時のスライド方向を調整することで、全ての移動対象のオブジェクトを所望の方向に一括して移動させることができる。
【００１３】
上記の構成において、好ましくは、表示部は、多点タッチ操作時のタッチ位置に対してスライド操作時のスライド方向側に表示していたオブジェクトを移動対象とする一方、多点タッチ操作時のタッチ位置に対してスライド操作時のスライド方向側とは反対側に表示していたオブジェクトは移動対象としない。これにより、表示中のオブジェクトの全てを移動対象としたくない（一部のオブジェクトのみを移動対象としたい）ユーザーからすると、利便性が良い。
【００１４】
上記の構成において、好ましくは、表示部は、移動対象のオブジェクトをスライド操作時のスライド方向に移動させて以降、多点タッチ操作の後に従前のスライド操作時のスライド方向とは逆方向をスライド方向とするスライド操作がタッチパネル部に対して行われたとき、多点タッチ操作時にタッチされた複数点のうちの２点間の距離が閾値距離以上であれば、従前のスライド操作時のスライド方向に移動させた全ての移動対象のオブジェクトを従前の表示位置に一括して戻す。これにより、簡単な操作で、全ての移動対象のオブジェクトを従前の表示位置に一括して戻すことができる。また、移動対象のオブジェクトを従前の表示位置に戻すための一操作であるスライド操作は、スライド操作時のスライド方向を従前のスライド操作時のスライド方向とは逆方向にするだけなので、直感的で分かり易い。
【００１５】
上記の構成において、好ましくは、表示部は、多点タッチ操作の後、予め定められた時間内にタッチを解除してから再び複数点を同時にタッチする操作が移動対象のオブジェクトを移動させる操作としてタッチパネル部に対して行われたとき、多点タッチ操作時にタッチされた複数点のうちの２点間の距離が閾値距離以上であれば、多点タッチ操作時のタッチ位置に全ての移動対象のオブジェクトを一括して移動させる。これにより、多点タッチ操作時のタッチ位置を調整することで、全ての移動対象のオブジェクトを所望の位置に一括して移動させることができる。
【００１６】
上記の構成において、好ましくは、表示部は、多点タッチ操作時のタッチ位置に全ての移動対象のオブジェクトを一括して移動させるとき、全ての移動対象のオブジェクトの移動方向側の各端を揃える。これにより、全ての移動対象のオブジェクトの移動と整列とをまとめて行うことができる。
【００１７】
上記の構成において、好ましくは、表示部は、移動対象のオブジェクトを移動させたとき、移動対象のオブジェクトの表示サイズを縮小し、縮小した移動対象のオブジェクトを識別するための識別情報を縮小した移動対象のオブジェクトの表示範囲に表示する。これにより、背景画面が見易くなる。また、縮小した移動対象のオブジェクトに識別情報が付加されるので、縮小した移動対象のオブジェクトの識別が容易になる。
【００１８】
上記の構成において、好ましくは、表示部は、縮小した移動対象のオブジェクトを表示画面の端縁と接するように表示する。これにより、背景画面のうちの移動対象のオブジェクトに隠れていた領域が大きく現れ、背景画面がより見易くなる。
【００１９】
また、本発明の画像形成装置は、上記の表示入力装置を備える。このような画像形成装置では、オブジェクト移動操作において、ユーザーが行う操作を減らすことができ、それによってユーザーの利便性が向上する。
【発明の効果】
【００２０】
以上のように、本発明によれば、オブジェクト移動操作において、ユーザーが行う操作を減らすことでユーザーの利便性を向上させることが可能な表示入力装置および画像形成装置を得ることができる。
【図面の簡単な説明】
【００２１】
【図１】本発明の一実施形態による表示入力装置を備えた画像形成装置の概略図
【図２】図１に示した画像形成装置の表示入力装置の詳細図
【図３】図１に示した画像形成装置のハードウェア構成を示したブロック図
【図４】図１に示した画像形成装置の表示入力装置に表示される画面（メインメニュー画面）の一例を示した図
【図５】図１に示した画像形成装置の表示入力装置に表示される画面（コピー機能の設定画面）の一例を示した図
【図６】図１に示した画像形成装置の表示入力装置に表示される画面（オブジェクト（電子付箋）を作成するためのソフトウェアキーボードを配した画面）の一例を示した図
【図７】図１に示した画像形成装置の表示入力装置に表示される画面にオブジェクト（電子付箋）が配されたときの図
【図８】図１に示した画像形成装置の表示入力装置においてオブジェクトを移動するときの操作を説明するための図
【図９】図１に示した画像形成装置の表示入力装置においてオブジェクトを移動するときの操作を説明するための図
【図１０】図１に示した画像形成装置の表示入力装置においてオブジェクトを移動するときの操作を説明するための図
【図１１】図１０に示した操作によってオブジェクトが移動された後の状態を説明するための図
【図１２】図１０に示した操作によってオブジェクトが移動された後の状態を説明するための図（変形例）
【図１３】図１に示した画像形成装置の表示入力装置においてオブジェクトを移動するときの操作を説明するための図
【図１４】図１３に示した操作によってオブジェクトが移動された後の状態を説明するための図
【図１５】図１に示した画像形成装置の表示入力装置においてオブジェクトを移動するときの操作およびオブジェクトが移動された後の状態を説明するための図
【図１６】図１に示した画像形成装置の表示入力装置において移動されたオブジェクトを従前の表示位置に戻すときの操作を説明するための図
【図１７】図１に示した画像形成装置の表示入力装置においてオブジェクトを移動するときの操作を説明するための図
【図１８】図１７に示した操作によってオブジェクトが移動された後の状態を説明するための図
【図１９】図１に示した画像形成装置の表示入力装置においてオブジェクトを移動するときの動作を説明するためのフローチャート
【発明を実施するための形態】
【００２２】
（画像形成装置の全体構成）
以下、コピー機能、送信（スキャン）機能、ファックス機能およびボックス機能などの複数種の機能の実行が可能な画像形成装置（複合機）を例にとって説明する。なお、ボックス機能というのは、予め登録されたボックスと称される保存領域（たとえば、後述する記憶部１１３に設けられたフォルダ）に画像データを蓄積したり、蓄積した画像データに基づく印刷を行ったりする機能である。
【００２３】
図１に示すように、本実施形態の画像形成装置１００は、操作パネル１０１（本発明の「表示入力装置」に相当）、原稿搬送部１０２Ａ、画像読取部１０２Ｂ、給紙部１０３、用紙搬送部１０４、画像形成部１０５、定着部１０６および後処理部１０７を備える。
【００２４】
操作パネル１０１は、たとえば、装置正面側に配置される。この操作パネル１０１は、図２に示すように、表示面上にタッチパネル部１１が設けられた液晶表示部１２（本発明の「表示部」に相当）を有する。タッチパネル部１１は、ユーザーがタッチした複数のタッチ位置を同時に検知可能なマルチタッチパネルである。液晶表示部１２は、ユーザーから入力操作を受け付けるためのソフトキーやメッセージなどを配した画面を表示する。なお、液晶表示部１２に表示される画面については、後に詳細に説明する。そして、液晶表示部１２の表示面を覆うタッチパネル部１１は、ユーザーが指定したソフトキー（タッチパネル部１１を介してユーザーがタッチしたソフトキー）を検知するために設けられている。また、操作パネル１０１には、ハードキーとして、数値入力を受け付けるためのテンキー１３や、機能実行の開始指示を受け付けるためのスタートキー１４などが設けられている。
【００２５】
図１に戻って、原稿搬送部１０２Ａは、画像読取部１０２Ｂの装置背面側に設けられた回転軸（図示せず）を支点として開閉可能に取り付けられている。この原稿搬送部１０２Ａは、原稿セットトレイ２１にセットされた原稿Ｄを引き出し、搬送読取用コンタクトガラス２０ａの上方に送って原稿排出トレイ２２に排出する。また、原稿搬送部１０２Ａは、載置読取用コンタクトガラス２０ｂに載置された原稿Ｄを押える機能も有する。
【００２６】
画像読取部１０２Ｂは、原稿Ｄを読み取って画像データを生成する。この画像読取部１０２Ｂには、図示しないが、露光ランプ、ミラー、レンズおよびイメージセンサーなどの光学系部材が設けられている。そして、画像読取部１０２Ｂは、搬送読取用コンタクトガラス２０ａを通過する原稿Ｄまたは載置読取用コンタクトガラス２０ｂに載置される原稿Ｄに光を照射し、その原稿Ｄからの反射光を受けたイメージセンサーの出力値をＡ／Ｄ変換することによって、画像データを生成する。これにより、画像読取部１０２Ｂによる原稿Ｄの読み取り動作（スキャン）によって得られた画像データに基づき印刷を行うことができる。また、スキャンによって得られた画像データを蓄積することもできる。
【００２７】
給紙部１０３は、用紙Ｐを収容するカセット３１を複数有し、それら複数のカセット３１に収容された用紙Ｐを用紙搬送部１０４に供給する。この給紙部１０３には、収容された用紙Ｐを引き出すピックアップローラー３２や、用紙Ｐの重送を抑制するための分離ローラー対３３が設けられている。
【００２８】
用紙搬送部１０４は、画像形成装置１００の内部において用紙Ｐを搬送する。具体的に言うと、給紙部１０３から供給された用紙Ｐは、用紙搬送部１０４が搬送することによって、画像形成部１０５および定着部１０６をこの順番で通過する。この用紙搬送部１０４には、用紙Ｐを搬送するための複数の搬送ローラー対４１が設けられている。さらに、用紙Ｐを画像形成部１０５の手前で待機させ、タイミングを合わせて画像形成部１０５に送り出すレジストローラー対４２も設けられている。
【００２９】
画像形成部１０５は、画像データに基づきトナー像を形成し、そのトナー像を用紙Ｐに転写する。画像形成部１０５は、感光体ドラム５１、帯電装置５２、露光装置５３、現像装置５４、転写ローラー５５およびクリーニング装置５６を含む。
【００３０】
トナー像の形成プロセスおよびトナー像の転写プロセスとしては、まず、感光体ドラム５１を回転駆動させ、その感光体ドラム５１の表面を帯電装置５２で所定電位に帯電させる。また、露光装置５３は、画像データに基づき光ビームＬを出力し、感光体ドラム５１の表面を走査露光する。これにより、感光体ドラム５１の表面に静電潜像を形成する。現像装置５４は、感光体ドラム５１の表面に形成された静電潜像にトナーを供給して現像する。
【００３１】
転写ローラー５５は、感光体ドラム５１の表面に圧接して回転可能となっている。さらに、転写ローラー５５には所定の電圧が印加されている。この状態で、レジストローラー対４２がタイミングを計り、転写ローラー５５と感光体ドラム５１との間に用紙Ｐを進入させる。これによって、感光体ドラム５１の表面のトナー像が用紙Ｐに転写される。そして、トナー像の転写プロセスが終わると、クリーニング装置５６は、感光体ドラム５１の表面に残留するトナーなどを除去する。
【００３２】
定着部１０６は、用紙Ｐに転写されたトナー像を加熱・加圧して定着させる。この定着部１０６は、発熱源を内蔵する定着ローラー６１と、定着ローラー６１に圧接される加圧ローラー６２とを含む。そして、トナー像が転写された用紙Ｐは、定着ローラー６１と加圧ローラー６２との間を通過することで、加熱・加圧される。これにより、用紙Ｐにトナー像が定着され、印刷が完了する。
【００３３】
後処理部１０７は、定着部１０６から印刷済みの用紙Ｐを受け取り、仕分け処理、ステープル処理およびパンチ処理などの後処理を行う。そして、後処理部１０７は、印刷済みの用紙Ｐに対して後処理を施した後、用紙Ｐを排出トレイ７１に排出する。
【００３４】
（画像形成装置のハードウェア構成）
図３に示すように、画像形成装置１００は、主制御部１１０を備える。主制御部１１０は、中央演算処理装置であるＣＰＵ１１１、画像処理部１１２および記憶部１１３を含む。画像処理部１１２は、画像処理専用のＡＳＩＣやメモリーなどからなっており、画像データに対して各種画像処理（拡大／縮小、濃度変換およびデータ形式変換など）を施す。記憶部１１３は、ＲＯＭ、ＲＡＭおよびＨＤＤなどからなり、たとえば、機能の実行に必要なプログラムおよびデータがＲＯＭに記憶され、それらプログラムおよびデータがＲＡＭに展開される。
【００３５】
主制御部１１０は、原稿搬送部１０２Ａ、画像読取部１０２Ｂ、給紙部１０３、用紙搬送部１０４、画像形成部１０５、定着部１０６および後処理部１０７と接続される。そして、主制御部１１０は、記憶部１１３に記憶されたプログラムおよびデータに基づき、全体制御、画像処理制御、および、各種の回転体を回転させるモーターの駆動制御などを行う。
【００３６】
主制御部１１０には、操作パネル１０１も接続される。操作パネル１０１は、主制御部１１０と接続される表示制御部１５を含む。この表示制御部１５は、ＣＰＵなどからなり、主制御部１１０から指示を受け、操作パネル１０１の表示動作を制御する。たとえば、表示制御部１５は、液晶表示部１２に表示されたソフトキーがタッチパネル部１１を介してユーザーによってタッチされると、タッチパネル部１１の出力に基づきタッチ位置の座標を検知する。すなわち、表示制御部１５は、ユーザーがタッチパネル部１１を介してタッチしたソフトキー（ユーザーが指定したソフトキー）を検知する。この表示制御部１５には、記憶部１６が接続される。そして、タッチパネル部１１の出力とタッチ位置の座標との対応を示すデータは、記憶部１６に記憶される。
【００３７】
また、主制御部１１０は、通信部１２０と接続される。通信部１２０は、たとえば、外部のコンピューター２００とネットワークを介して通信可能に接続される。これにより、コンピューター２００から送信された画像データに基づき印刷を行うことができ、スキャンによって得られた画像データをコンピューター２００に送信することもできる。また、通信部１２０にモデムなどを内蔵してもよく、この場合、電話回線などのネットワークを介して、外部のファックス装置３００とファックス通信を行うことができる。
【００３８】
（操作パネルの表示画面）
操作パネル１０１は、主電源が投入されると、図４に示すようなメインメニュー画面ＭＳを初期画面として表示する。メインメニュー画面ＭＳには、複数種の機能のうちから使用する機能の選択指示をユーザーから受け付けるため、複数種の機能にそれぞれ対応する複数のソフトキーＫが配される。
【００３９】
このメインメニュー画面ＭＳにおいて使用する機能がユーザーによって指定された（複数のソフトキーＫのうちのいずれかのソフトキーＫの表示位置がタッチパネル部１１を介してユーザーによってタッチされた）とき、操作パネル１０１は、指定された機能に関する設定指示などを受け付けるための設定画面（たとえば、図５に示すような設定画面ＳＳ）を表示する。
【００４０】
具体的には、ソフトキーＫ１の表示位置がタッチパネル部１１を介してユーザーによってタッチされると、操作パネル１０１は、図５に示すように、コピー機能の設定指示を受け付けるための設定画面ＳＳを表示する。コピー機能の設定画面ＳＳには、コピー機能に関する複数の設定項目にそれぞれ対応する複数の設定キーＦＫが配される。図５には、一例として、用紙選択、縮小／拡大、濃度、両面／分割およびページ集約の各設定項目にそれぞれ対応する複数の設定キーＦＫが配された設定画面ＳＳを図示している。複数の設定キーＦＫのそれぞれには、対応する設定項目の現時点の設定値が表記される。そして、操作パネル１０１は、複数の設定キーＦＫのうちのいずれかの設定キーＦＫがタッチパネル部１１を介してユーザーによってタッチされ指定されると、たとえば、指定の設定キーＦＫに対応する設定項目の設定値を入力するための画面（図示せず）を表示する。これにより、ユーザーは、コピー機能に関する複数の設定項目のそれぞれの現時点の設定値を認識することができ、かつ、それら各設定値を変更することもできる。
【００４１】
図４に戻って、ソフトキーＫ２の表示位置がタッチパネル部１１を介してユーザーによってタッチされると、操作パネル１０１は、送信（スキャン）機能の設定指示を受け付けるための設定画面（図示せず）を表示する。この送信（スキャン）機能の設定画面では、スキャンによって得られた画像データの送信先の指定などを行うことができる。また、ソフトキーＫ３の表示位置がタッチパネル部１１を介してユーザーによってタッチされると、操作パネル１０１は、ファックス機能の設定指示を受け付けるための設定画面（図示せず）を表示する。このファックス機能の設定画面では、ファックス番号の入力などを行うことができる。
【００４２】
また、ソフトキーＫ４の表示位置がタッチパネル部１１を介してユーザーによってタッチされると、操作パネル１０１は、ボックス機能の１つであるユーザーボックス機能の設定指示を受け付けるための設定画面（図示せず）を表示する。なお、ユーザーボックス機能というのは、スキャンによって得られた画像データを蓄積したり、蓄積した画像データに基づく印刷を行ったりする機能である。このユーザーボックス機能の設定画面では、使用するボックスの指定などを行うことができる。
【００４３】
また、ソフトキーＫ５の表示位置がタッチパネル部１１を介してユーザーによってタッチされると、操作パネル１０１は、ボックス機能の１つであるジョブボックス機能の設定指示を受け付けるための設定画面（図示せず）を表示し、ソフトキーＫ６の表示位置がタッチパネル部１１を介してユーザーによってタッチされると、操作パネル１０１は、ボックス機能の１つであるファックスボックス機能の設定指示を受け付けるための設定画面（図示せず）を表示する。なお、ジョブボックス機能というのは、画像データをコンピューター２００から画像形成装置１００に送信して蓄積したり、その蓄積した画像データに基づく印刷を行ったりする機能である。また、ファックスボックス機能というのは、通信部１２０が受信したファックスデータを蓄積したり、その蓄積したファックスデータに基づく印刷を行ったりする機能である。
【００４４】
また、ソフトキーＫ７の表示位置がタッチパネル部１１を介してユーザーによってタッチされると、操作パネル１０１は、外部メモリーを利用した機能（以下、外部メモリー機能と称する）の設定指示を受け付けるための設定画面（図示せず）を表示する。なお、外部メモリー機能というのは、外部メモリーに保存した画像データに基づく印刷を行ったり、外部メモリーに画像データを保存したりする機能である。
【００４５】
また、ソフトキーＫ８はプログラム機能に対応するソフトキーＫであり、ソフトキーＫ８の表示位置がタッチパネル部１１を介してユーザーによってタッチされると、操作パネル１０１は、登録されたプログラムのうちから呼び出すプログラムの選択指示をユーザーから受け付けるためのプログラム選択画面（図示せず）を表示する。なお、プログラム機能というのは、コピー機能や送信（スキャン）機能などに関する複数の設定項目のうち、ユーザーによって予め選択された１つ以上の設定項目（設定値）をプログラムとして登録しておく機能である。
【００４６】
（オブジェクトの作成）
本実施形態では、ユーザーが作成した電子付箋などのオブジェクトＯＢ（図７参照）を種々の表示画面（メインメニュー画面ＭＳや設定画面ＳＳなど）に重ねて表示させることができる。たとえば、メインメニュー画面ＭＳや設定画面ＳＳには、図４および図５に示すように、オブジェクトＯＢの作成指示をユーザーから受け付けるための作成キーＭＫが配されている。なお、作成キーＭＫに相当するハードキーが操作パネル１０１に設けられていてもよい。
【００４７】
そして、操作パネル１０１は、作成キーＭＫの表示位置がタッチパネル部１１を介してユーザーによってタッチされると、図６に示すように、オブジェクトＯＢ（図７参照）に表記する文字（数字や特殊記号なども含む）の入力をユーザーから受け付けるためのソフトウェアキーボードＫＢを表示する。これにより、ユーザーは、オブジェクトＯＢに表記するメッセージを入力することができる。そして、ユーザーは、所望のメッセージを入力した後、終了キーＥＫの表示位置をタッチパネル部１１を介してタッチする。この操作を受けて、操作パネル１０１は、ユーザーが入力したメッセージを表記したオブジェクトＯＢを表示画面に重ねて表示する。オブジェクトＯＢが配された表示画面の一例を図７に示す。なお、図７には、複数のオブジェクトＯＢをメインメニュー画面ＭＳに重ねて表示した場合を図示している。
【００４８】
（オブジェクトの移動）
たとえば、オブジェクトＯＢを移動させたいユーザーは、移動対象のオブジェクトＯＢの表示位置をタッチし、タッチしたままタッチ位置をスライドさせる操作（ドラッグアンドドロップ操作）を行うことにより、移動対象のオブジェクトＯＢを所望の位置に移動させることができる。しかし、この方法では、移動対象のオブジェクトＯＢが複数存在する場合、それら複数の移動対象のオブジェクトＯＢを１つずつ移動させなければならず、ユーザーにとっては煩わしい。
【００４９】
このような不都合を解消するため、本実施形態では、移動対象のオブジェクトＯＢの全てを一括して移動させることができるようになっている。具体的には、操作パネル１０１の表示制御部１５は、液晶表示部１２がオブジェクトＯＢを配した画面を表示している最中に、タッチパネル部１１の複数点（たとえば、３点以上）を同時にタッチする多点タッチ操作の後、表示中のオブジェクトＯＢのうち移動対象のオブジェクトＯＢを移動させるための操作がタッチパネル部１１に対して行われたとき、多点タッチ操作時にタッチされた複数点のうち最端の２点間の距離（たとえば、複数点のうち互いの間隔が最も大きい２点間の距離）が予め定められた閾値距離以上であれば、液晶表示部１２に指示し、全ての移動対象のオブジェクトＯＢを一括して移動させる。たとえば、表示制御部１５は、タッチパネル部１１の出力に基づき、多点タッチ操作時にタッチされた最端の２点のそれぞれの座標を認識し、それら２点の座標の値から、多点タッチ操作時にタッチされた最端の２点間の距離を算出する。そして、表示制御部１５は、算出距離と閾値距離とを比較し、算出距離が閾値距離以上であるか否かを判断する。なお、複数のオブジェクトＯＢを配した画面を表示している場合、それら複数のオブジェクトＯＢの全てを移動対象とすることもできるし、複数のオブジェクトＯＢのうちの指定のオブジェクトＯＢのみを選択的に移動対象とすることもできる。
【００５０】
ところで、移動対象のオブジェクトＯＢを移動させるための一操作である多点タッチ操作をタッチパネル部１１が受け付けたか否かの判断基準となる閾値距離というのは、たとえば、３ｃｍである。ここで、タッチパネル部１１の仕様によっては、タッチパネル部１１に対するタッチ操作が指一本で行われたとしても、その指一本でのタッチ操作で複数のタッチ点を検知することがある。しかし、通常、指一本でのタッチ操作では、複数のタッチ点のうち最端の２点間の距離が３ｃｍ以上になることはない。そこで、本実施形態では、閾値距離を３ｃｍとすることで、移動対象のオブジェクトＯＢを移動させるための一操作である多点タッチ操作と、指一本でのタッチ操作との差別化を図っている。
【００５１】
本実施形態において、オブジェクトＯＢを移動させたいユーザーは、まず、図８に示すように、タッチした複数点のうち最端の２点間の距離が閾値距離以上となるように、タッチパネル部１１の複数点を同時にタッチする多点タッチ操作を行う。たとえば、タッチパネル部１１に対するタッチ操作を手の掌側で行うことにより、図９に示すように、タッチ位置Ｐにおいて複数のタッチ点Ｔ（検知点）が検知され、複数のタッチ点Ｔのうち最端の２点間の距離Ｄが閾値距離（たとえば、３ｃｍ）以上になる。
【００５２】
そして、オブジェクトＯＢを移動させたいユーザーは、多点タッチ操作を行った後、移動対象のオブジェクトＯＢを移動させるための操作をタッチパネル部１１に対して行う。なお、以下の説明では、移動対象のオブジェクトＯＢを移動させるための操作をオブジェクト一括移動操作と称する場合がある。
【００５３】
たとえば、操作パネル１０１の表示制御部１５は、多点タッチ操作の後、複数点をタッチしたままタッチ位置をスライドさせるスライド操作がタッチパネル部１１に対して行われたとき、タッチパネル部１１がオブジェクト一括移動操作を受け付けたと判断する。たとえば、表示制御部１５は、タッチ点（検知点）が１点以下になることなく、複数のタッチ点の分布が予め定められた領域内に収まった状態で、複数のタッチ点の移動量が予め定められた移動量を超えたとき、タッチパネル部１１に対してスライド操作が行われたと認識する。
【００５４】
そして、表示制御部１５は、多点タッチ操作の後、複数点をタッチしたままタッチ位置をスライドさせるスライド操作がオブジェクト一括移動操作としてタッチパネル部１１に対して行われたとき、多点タッチ操作時にタッチされた複数点のうち最端の２点間の距離が閾値距離以上であれば、液晶表示部１２に指示し、全ての移動対象のオブジェクトＯＢ１（図１０参照）をスライド操作時のスライド方向（上下左右のうちいずれかの方向）に一括して移動させる。たとえば、表示制御部１５は、タッチパネル部１１の出力に基づき、スライド操作開始時のタッチ位置（座標）およびスライド操作終了時のタッチ位置（座標）を求め、スライド操作時のスライド方向が上下右左のうちいずれの方向であるかを認識する。
【００５５】
一例として、図１０に示すように、画面左端において多点タッチ操作が行われ、その後に行われたスライド操作時のスライド方向が画面右方向であったとする。なお、図１０中の白抜き矢印は、スライド操作時のスライド方向を表している。この場合、操作パネル１０１の表示制御部１５は、多点タッチ操作時のタッチ位置に対してスライド操作時のスライド方向側に表示していたオブジェクトＯＢを移動対象として認識する。すなわち、図１０に示す例では、表示中のオブジェクトＯＢの全てが移動対象のオブジェクトＯＢ１となる。そして、表示制御部１５は、液晶表示部１２に指示し、全ての移動対象のオブジェクトＯＢ１をスライド操作時のスライド方向に一括して移動させる（たとえば、画面右端に移動させる）。
【００５６】
このとき、液晶表示部１２は、図１１に示すように、移動対象のオブジェクトＯＢ１の表示サイズを縮小し、縮小した移動対象のオブジェクトＯＢ１を識別するための識別情報（たとえば、数字）を移動対象のオブジェクトＯＢ１の表示範囲に表示する。さらに、縮小した移動対象のオブジェクトＯＢ１を表示画面の端縁と接するように表示する。あるいは、図１２に示すように、移動対象のオブジェクトＯＢ１の表示サイズを縮小せず、移動対象のオブジェクトＯＢ１を単に移動させるだけでもよい。この場合、移動対象のオブジェクトＯＢ１の数が多ければ、移動対象のオブジェクトＯＢ１を互いに部分的に重ねてもよい。ただし、図示しないが、移動対象のオブジェクトＯＢ１の数が少なければ、移動対象のオブジェクトＯＢ１を互いに所定の間隔を隔てて整列させてもよい。
【００５７】
また、別の例として、図１３に示すように、画面略中央において多点タッチ操作が行われ、その後に行われたスライド操作時のスライド方向が画面右方向であったとする。さらに、表示中のオブジェクトＯＢが多点タッチ操作時のタッチ位置の左右両側に分散していたとする。この場合、操作パネル１０１の表示制御部１５は、多点タッチ操作時のタッチ位置に対してスライド操作時のスライド方向側に表示していたオブジェクトＯＢのみを移動対象として認識する。すなわち、図１３に示す例では、液晶表示部１２は、多点タッチ操作時のタッチ位置（画面略中央）に対してスライド操作時のスライド方向側（画面右側）に表示していたオブジェクトＯＢを移動対象とする一方、多点タッチ操作時のタッチ位置（画面略中央）に対してスライド操作時のスライド方向側とは反対側（画面左側）に表示していたオブジェクトＯＢは移動対象としない。そのため、図１３に示した操作が行われた場合には、画面略中央に対して画面右側に表示された移動対象のオブジェクトＯＢ１のみが画面右側に移動され、画面略中央に対して画面左側に表示されたオブジェクトＯＢは移動されない（図１４参照）。
【００５８】
ここでは、スライド操作時のスライド方向が画面右方向である場合を例にとって説明したが、操作パネル１０１の表示制御部１５は、スライド操作時のスライド方向に応じて、移動対象のオブジェクトＯＢ１の移動方向を切り替える。すなわち、図示しないが、スライド操作時のスライド方向が画面左方向であれば、移動対象のオブジェクトＯＢ１を画面左方向に移動させる。また、スライド操作時のスライド方向が画面上方向であれば、移動対象のオブジェクトＯＢ１を画面上方向に移動させる（図１５参照）。さらに、スライド操作時のスライド方向が画面下方向であれば、移動対象のオブジェクトＯＢ１を画面下方向に移動させる（図示せず）。
【００５９】
また、操作パネル１０１の表示制御部１５は、液晶表示部１２が移動対象のオブジェクトＯＢ１をスライド操作時のスライド方向に移動させて以降、多点タッチ操作の後に従前のスライド操作時のスライド方向とは逆方向をスライド方向とするスライド操作がタッチパネル部１１に対して行われたとき、多点タッチ操作時にタッチされた複数点のうち最端の２点間の距離が閾値距離以上であれば、従前のスライド操作時のスライド方向に移動させた全ての移動対象のオブジェクトＯＢ１を従前の表示位置に一括して戻す。
【００６０】
たとえば、図１０に示した操作によって、移動対象のオブジェクトＯＢ１が画面右方向に移動されているとする。この場合、移動対象のオブジェクトＯＢ１を従前の表示位置に戻したいユーザーは、図１６に示すように、画面右端において多点タッチ操作を行った後、従前のスライド操作時のスライド方向とは逆方向（画面左方向）をスライド方向とするスライド操作を行う。この操作を受けて、操作パネル１０１の表示制御部１５は、液晶表示部１２に指示し、従前のスライド操作時のスライド方向に移動させた全ての移動対象のオブジェクトＯＢ１を従前の表示位置に戻させる。すなわち、図７に示す状態に戻る。
【００６１】
また、操作パネル１０１の表示制御部１５は、多点タッチ操作の後、予め定められた時間内にタッチを解除してから再び複数点を同時にタッチする操作（以下、タップ操作と称する）がタッチパネル部１１に対して行われたときも、タッチパネル部１１がオブジェクト一括移動操作を受け付けたと判断する。そして、表示制御部１５は、多点タッチ操作の後、予め定められた時間内にタッチを解除してから再び複数点を同時にタッチするタップ操作がオブジェクト一括移動操作としてタッチパネル部１１に対して行われたとき、多点タッチ操作時にタッチされた複数点のうち最端の２点間の距離が閾値距離以上であれば、液晶表示部１２に指示し、全ての移動対象のオブジェクトＯＢ１（図１７参照）を多点タッチ操作時のタッチ位置に移動させる。
【００６２】
一例として、図１７に示すように、画面左端において、多点タッチ操作の後に予め定められた時間内にタッチを解除してから再び複数点を同時にタッチするタップ操作が行われたとする。この場合、操作パネル１０１の表示制御部１５は、表示中のオブジェクトＯＢの全てを移動対象のオブジェクトＯＢ１として認識する。そして、表示制御部１５は、液晶表示部１２に指示し、全ての移動対象のオブジェクトＯＢ１を多点タッチ操作時のタッチ位置に一括して移動させる。すなわち、図１８に示すように、全ての移動対象のオブジェクトＯＢ１は、画面左端に移動される。
【００６３】
このとき、液晶表示部１２は、全ての移動対象のオブジェクトＯＢ１の移動方向側（多点タッチ操作時のタッチ位置側）の各端を揃える。そして、移動対象のオブジェクトＯＢ１の数が多ければ、移動対象のオブジェクトＯＢ１を互いに部分的に重ねる。あるいは、図示しないが、移動対象のオブジェクトＯＢ１の数が少なければ、移動対象のオブジェクトＯＢ１を互いに所定の間隔を隔てて整列させてもよい。また、図１１に示したように、移動対象のオブジェクトＯＢ１の表示サイズを縮小し、縮小した移動対象のオブジェクトＯＢ１を識別するための識別情報を移動対象のオブジェクトＯＢ１の表示範囲に表示してもよい。
【００６４】
（オブジェクトを移動させるときの流れ）
以下に、図１９を参照して、オブジェクトＯＢを移動させるときの流れについて説明する。
【００６５】
まず、図１９のフローチャートのスタート時点では、液晶表示部１２が複数のオブジェクトＯＢを配した画面を表示しているとする。そして、液晶表示部１２が複数のオブジェクトＯＢを配した画面を表示している最中に、タッチパネル部１１の複数点を同時にタッチする多点タッチ操作が行われたとき、すなわち、タッチパネル部１１がタッチされることで複数のタッチ点を検知したとき、図１９のフローチャートがスタートする。
【００６６】
ステップＳ１において、表示制御部１５は、多点タッチ操作が行われた後に連続してオブジェクト一括移動操作が行われたか否か（タッチパネル部１１がオブジェクト一括移動操作を受け付けたか否か）を判断する。なお、オブジェクト一括移動操作というのは、多点タッチ操作の後に複数点をタッチしたままタッチ位置をスライドさせるスライド操作、または、多点タッチ操作の後に予め定められた時間内にタッチを解除してから再び複数点を同時にタッチするタップ操作のことである。判断の結果、オブジェクト一括移動操作を受け付けていれば、ステップＳ２に移行する。
【００６７】
ステップＳ２に移行すると、表示制御部１５は、多点タッチ操作時にタッチされた複数点のうち最端の２点間の距離が閾値以上であったか否かを判断する。判断の結果、閾値以上であれば、ステップＳ３に移行する。
【００６８】
ステップＳ３に移行すると、表示制御部１５は、タッチパネル部１１が受け付けたオブジェクト一括移動操作がスライド操作であったか否かを判断する。判断の結果、オブジェクト一括移動操作がスライド操作であれば、ステップＳ４に移行する。一方で、オブジェクト一括移動操作がスライド操作でなければ、すなわち、オブジェクト一括移動操作がタップ操作であれば、ステップＳ５に移行する。
【００６９】
ステップＳ３からステップＳ４に移行すると、表示制御部１５は、液晶表示部１２に指示し、全ての移動対象のオブジェクトＯＢ１をスライド操作時のスライド方向に一括して移動させる。そして、液晶表示部１２は、移動対象のオブジェクトＯＢ１の表示サイズを縮小し、縮小した移動対象のオブジェクトＯＢ１を識別するための識別情報を移動対象のオブジェクトＯＢ１の表示範囲に表示する。
【００７０】
また、ステップＳ３からステップＳ５に移行した場合には、表示制御部１５は、液晶表示部１２に指示し、全ての移動対象のオブジェクトＯＢ１を多点タッチ操作時のタッチ位置に一括して移動させる。そして、液晶表示部１２は、全ての移動対象のオブジェクトＯＢ１の移動方向側（多点タッチ操作時のタッチ位置側）の各端を揃える。
【００７１】
なお、ステップＳ１において、多点タッチ操作の後にオブジェクト一括移動操作を受け付けていない場合には、ステップＳ６に移行する。また、ステップＳ２において、多点タッチ操作時にタッチされた複数点のうち最端の２点間の距離が閾値距離を下回っていた場合にも、ステップＳ６に移行する。そして、ステップＳ６に移行すると、表示制御部１５は、全てのオブジェクトＯＢの表示位置をそのまま維持させる。
【００７２】
本実施形態では、上記のように、液晶表示部１２（表示部）は、タッチパネル部１１の複数点を同時にタッチする多点タッチ操作の後、表示中のオブジェクトＯＢのうち移動対象のオブジェクトＯＢ１を移動させるための操作がタッチパネル部１１に対して行われたとき、多点タッチ操作時にタッチされた複数点のうちの２点間の距離が予め定められた閾値距離以上であれば、全ての移動対象のオブジェクトＯＢ１を一括して移動させる。これにより、移動対象のオブジェクトＯＢ１が複数存在する場合、タッチした複数点のうちの２点間の距離が閾値距離以上となるようにタッチパネル部１１の複数点を同時にタッチする多点タッチ操作を行った後、移動対象のオブジェクトＯＢ１を移動させるための操作をタッチパネル部１１に対して行うだけで、複数の移動対象のオブジェクトＯＢ１の全てが一括して移動される。すなわち、複数の移動対象のオブジェクトＯＢ１の全てを少ない操作で一括して移動させることができるので、複数の移動対象のオブジェクトＯＢ１を１つずつ移動させる必要がなくなる。これにより、オブジェクト移動操作において、ユーザーが行う操作を減らすことができ、それによってユーザーの利便性が向上する。
【００７３】
さらに、この実施形態では、たとえば、指の腹（タッチパネル部１１に対する通常のタッチ操作でパネル面に触れる部分）の幅よりも大きい距離を閾値距離として設定しておくことによって、容易に、移動対象のオブジェクトＯＢ１を移動させるための一操作である多点タッチ操作と、指一本でのタッチ操作との差別化を図ることができる。
【００７４】
また、本実施形態では、上記のように、液晶表示部１２は、多点タッチ操作の後、複数点をタッチしたままタッチ位置をスライドさせるスライド操作が移動対象のオブジェクトＯＢ１を移動させる操作としてタッチパネル部１１に対して行われたとき、多点タッチ操作時にタッチされた複数点のうちの２点間の距離が閾値距離以上であれば、全ての移動対象のオブジェクトＯＢ１をスライド操作時のスライド方向に一括して移動させる。これにより、スライド操作時のスライド方向を調整することで、全ての移動対象のオブジェクトＯＢ１を所望の方向に一括して移動させることができる。
【００７５】
また、本実施形態では、上記のように、液晶表示部１２は、多点タッチ操作時のタッチ位置に対してスライド操作時のスライド方向側に表示していたオブジェクトＯＢを移動対象とする一方、多点タッチ操作時のタッチ位置に対してスライド操作時のスライド方向側とは反対側に表示していたオブジェクトＯＢは移動対象としない。これにより、表示中のオブジェクトＯＢの全てを移動対象としたくない（一部のオブジェクトＯＢのみを移動対象としたい）ユーザーからすると、利便性が良い。
【００７６】
また、本実施形態では、上記のように、液晶表示部１２は、移動対象のオブジェクトＯＢ１をスライド操作時のスライド方向に移動させて以降、多点タッチ操作の後に従前のスライド操作時のスライド方向とは逆方向をスライド方向とするスライド操作がタッチパネル部１１に対して行われたとき、多点タッチ操作時にタッチされた複数点のうちの２点間の距離が閾値距離以上であれば、従前のスライド操作時のスライド方向に移動させた全ての移動対象のオブジェクトＯＢ１を従前の表示位置に一括して戻す。これにより、簡単な操作で、全ての移動対象のオブジェクトＯＢ１を従前の表示位置に一括して戻すことができる。また、移動対象のオブジェクトＯＢ１を従前の表示位置に戻すための一操作であるスライド操作は、スライド操作時のスライド方向を従前のスライド操作時のスライド方向とは逆方向にするだけなので、直感的で分かり易い。
【００７７】
また、本実施形態では、上記のように、液晶表示部１２は、多点タッチ操作の後、予め定められた時間内にタッチを解除してから再び複数点を同時にタッチする操作が移動対象のオブジェクトＯＢ１を移動させる操作としてタッチパネル部１１に対して行われたとき、多点タッチ操作時にタッチされた複数点のうちの２点間の距離が閾値距離以上であれば、多点タッチ操作時のタッチ位置に全ての移動対象のオブジェクトＯＢ１を一括して移動させる。これにより、多点タッチ操作時のタッチ位置を調整することで、全ての移動対象のオブジェクトＯＢ１を所望の位置に一括して移動させることができる。
【００７８】
また、本実施形態では、上記のように、多点タッチ操作時のタッチ位置に全ての移動対象のオブジェクトＯＢ１を一括して移動させるとき、全ての移動対象のオブジェクトＯＢ１の移動方向側の各端を揃える。これにより、全ての移動対象のオブジェクトＯＢ１の移動と整列とをまとめて行うことができる。
【００７９】
また、本実施形態では、上記のように、液晶表示部１２は、移動対象のオブジェクトＯＢ１を移動させたとき、移動対象のオブジェクトＯＢ１の表示サイズを縮小し、縮小した移動対象のオブジェクトＯＢ１を識別するための識別情報を縮小した移動対象のオブジェクトＯＢ１の表示範囲に表示する。これにより、背景画面が見易くなる。また、縮小した移動対象のオブジェクトＯＢ１に識別情報が付加されるので、縮小した移動対象のオブジェクトＯＢ１の識別が容易になる。
【００８０】
また、本実施形態では、上記のように、液晶表示部１２は、縮小した移動対象のオブジェクトＯＢ１を表示画面の端縁と接するように表示する。これにより、背景画面のうちの移動対象のオブジェクトＯＢ１に隠れていた領域が大きく現れ、背景画面がより見易くなる。
【００８１】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００８２】
１１  タッチパネル部
１２  液晶表示部（表示部）
１００  画像形成装置
１０１  操作パネル（表示入力装置）
ＯＢ  オブジェクト
【図１】
0005634442.tif 000002
【図２】
0005634442.tif 000003
【図３】
0005634442.tif 000004
【図４】
0005634442.tif 000005
【図５】
0005634442.tif 000006
【図６】
0005634442.tif 000007
【図７】
0005634442.tif 000008
【図８】
0005634442.tif 000009
【図９】
0005634442.tif 000010
【図１０】
0005634442.tif 000011
【図１１】
0005634442.tif 000012
【図１２】
0005634442.tif 000013
【図１３】
0005634442.tif 000014
【図１４】
0005634442.tif 000015
【図１５】
0005634442.tif 000016
【図１６】
0005634442.tif 000017
【図１７】
0005634442.tif 000018
【図１８】
0005634442.tif 000019
【図１９】
0005634442.tif 000020